(57)【要約】【課題】ディスクの挿入スペースを充分な広さに確保するとともに、簡単な構造でターンテーブルユニットを移動する。【解決手段】昇降フレーム１１は、スロット側の軸９を支点にして昇降動する。昇降フレーム１１の先端側には、揺動可能な保持部材が取り付けられている。この保持部材には、ディスクが装着されるターンテーブルユニット１３が取り付けられている。従動スライダには、昇降用カム溝が形成され、これに昇降フレーム１１の昇降ピンが嵌合している。ローディングスライダには、揺動用カム溝が形成され、これに保持部材の揺動ピンが嵌合し、保持部材を昇降させる。昇降フレーム１１が記録／再生位置から下降位置に揺動するときに、保持部材が昇降フレーム１１に対して傾きターンテーブルユニット１３がディスク搬送方向にほぼ平行となる。【選択図】図８
2010129132.tif 000002
【特許請求の範囲】
【請求項１】
ディスクを回転させるターンテーブルユニットと、前記ディスクの回転中にデータを記録／再生するピックアップヘッドとを備えたディスク装置において、
前記ディスクの装填時に本体ケースのスロットから挿入された前記ディスクを保持して前記ターンテーブルユニット上に搬入し、前記ディスクの排出時に前記ターンテーブルユニット上のディスクを保持して前記スロットから搬出するディスク搬送機構と、
前記ピックアップヘッドを移動可能に保持し、前記スロット側にある後端側を支点にして先端側が揺動して昇降動する昇降フレームと、
前記ターンテーブルユニットを保持し、前記昇降フレームの前記先端側に移動自在に取り付けられたターンテーブルユニット保持部材と、
前記ディスク搬送機構に連動しており、前記ディスクにデータを記録／再生する記録／再生位置よりも上方で、前記ターンテーブルユニットに前記ディスクを装着する装着位置と、前記記録／再生位置よりも下方で、前記ディスクの搬送を可能とする下降位置との間で前記昇降フレームを昇降動させる昇降フレーム移動機構と、
前記ディスク搬送機構に連動しており、前記昇降フレームが前記記録／再生位置から前記下降位置へ下降するときに、前記ターンテーブルユニットが前記昇降フレームとほぼ平行となる平行位置から、前記ターンテーブルユニットの前記スロット側部分が前記昇降フレームから下降して傾いた退避位置へ移動するように、前記ターンテーブルユニット保持部材を揺動させるターンテーブルユニット移動機構と、
を備えたことを特徴とするディスク装置。
【請求項２】
前記ディスク搬送機構は、前記ディスクの搬送時にスライドするローディングスライダと、前記ローディングスライダに連動してスライドする従動スライダと、前記ローディングスライダまたは前記従動スライダに連動して、前記ディスクを両側から保持して揺動する複数のアームとを備えていることを特徴とする請求項１記載のディスク装置。
【請求項３】
前記昇降フレーム移動機構は、前記昇降フレームに取り付けられた昇降ピンと、前記従動スライダまたは前記ローディングスライダに形成され、前記昇降ピンが挿入される昇降用カム溝とを備えていることを特徴とする請求項２記載のディスク装置。
【請求項４】
前記ターンテーブルユニット移動機構は、前記ターンテーブルユニット保持部材に取り付けられた揺動ピンと、前記ローディングスライダに形成され、前記揺動ピンが挿入される揺動用カム溝とを備えていることを特徴とする請求項２または３記載のディスク装置。
【請求項５】
前記ターンテーブルユニット保持部材は、前記昇降フレームに取り付けられた複数の支持軸に移動可能に嵌合され、前記支持軸に装着したコイルバネで前記昇降フレームに向けて付勢されていることを特徴とする請求項１ないし４いずれか１つ記載のディスク装置。
【発明の詳細な説明】
【技術分野】
【０００１】
本発明は、スロットインタイプのディスク装置に関するものである。
【背景技術】
【０００２】
ディスクに対してデータを高密度に記録したり、ディスクに記録されたデータを読み取ったりするディスク装置が知られている。このディスク装置には、スロットを通してディスクを出し入れするスロットインタイプがあり、薄型化が可能であるため、ノートパソコン等に広く用いられている。
【０００３】
スロットインタイプのディスク装置は、本体ケースの前面にベゼルが取り付けられ、このベゼルにスロットが形成されている。ディスクを装填するには、ディスクの過半をベゼルのスロットに差し込む。ディスクによってディスク搬送機構が少し動かされると、ローディングモータが始動する。このローディングモータによってディスク搬送機構が駆動され、ディスクが本体ケース内に引き込まれる。次に、ローディングスライダが移動して昇降フレームを上昇させる。昇降フレームは、下降位置から装着位置まで上昇して、ターンテーブルユニットのチャッキングヘッドにディスクを装着する。次に、昇降フレームが少し下降して記録／再生位置に位置決めされると、ターンテーブルユニットがディスクを回転させ、ピックアップヘッドによりデータの記録／再生が行われる。イジェクトボタンを操作すると、ディスク搬送機構が作動してスロットを介してディスクを本体ケースから搬出する。
【０００４】
昇降フレームは、ターンテーブルユニットが設けられた先端部が、本体ケースのほぼ中央部に配され、フロントベゼル側の後端部に設けられた軸を中心にして回転することにより昇降する。昇降フレームは、ディスクが挿入されていない状態では、下降位置に保持されている。また、ピックアップヘッドは、昇降フレームに取り付けられたガイド軸に支持されており、ガイド軸に沿ってディスクの半径方向に移動する。
【０００５】
最近は、スロットインタイプのディスク装置を更に薄型化することが要請されている。例えば、特許文献１では、ディスクの排出時に、昇降フレームを水平状態に保ったままで、ターンテーブルユニットだけを下降させることで、昇降フレームが水平状態から下降位置に移動するのに必要なスペースを節約している。このターンテーブルユニットを移動させるために、ディスク搬送機構に連動して直交する２方向にスライドする２個のスライダが設けられている。各スライダには、複数のカム溝が形成され、各カム溝にターンテーブルユニットに設けたピンが嵌合し、ターンテーブルユニットを水平状態で上下動させている。
【特許文献１】特許第３８２２６２１号公報
【発明の開示】
【発明が解決しようとする課題】
【０００６】
特許文献１では、ディスクの搬送時には、昇降フレームが水平状態のままであり、この位置は記録／再生位置と同じであるため、ディスクの挿入スペースが狭くて、ディスクの挿入がしにくいという問題がある。また、ターンテーブルユニットを水平状態で移動するために、カム溝とピンの個数が多くなり、そのために部品点数が増加してコスト高になるという問題もある。
【０００７】
本発明は、上記課題を解決するためになされたものであり、ディスクの挿入スペースを充分な広さに確保することができ、また簡単な構造でターンテーブルユニットを移動することができるようにしたディスク装置を提供することを目的とする。
【課題を解決するための手段】
【０００８】
上記目的を達成するために、本発明のディスク装置は、ディスクを回転させるターンテーブルユニットと、前記ディスクの回転中にデータを記録／再生するピックアップヘッドとを備えたディスク装置において、前記ディスクの装填時に本体ケースのスロットから挿入された前記ディスクを保持して前記ターンテーブルユニット上に搬入し、前記ディスクの排出時に前記ターンテーブルユニット上のディスクを保持して前記スロットから搬出するディスク搬送機構と、前記ピックアップヘッドを移動可能に保持し、前記スロット側にある後端側を支点にして先端側が揺動して昇降動する昇降フレームと、前記ターンテーブルユニットを保持し、前記昇降フレームの前記先端側に移動自在に取り付けられたターンテーブルユニット保持部材と、前記ディスク搬送機構に連動しており、前記ディスクにデータを記録／再生する記録／再生位置よりも上方で、前記ターンテーブルユニットに前記ディスクを装着する装着位置と、前記記録／再生位置よりも下方で、前記ディスクの搬送を可能とする下降位置との間で前記昇降フレームを昇降動させる昇降フレーム移動機構と、前記ディスク搬送機構に連動しており、前記昇降フレームが前記記録／再生位置から前記下降位置へ下降するときに、前記ターンテーブルユニットが前記昇降フレームとほぼ平行となる平行位置から、前記ターンテーブルユニットの前記スロット側部分が前記昇降フレームから下降して傾いた退避位置へ移動するように、前記ターンテーブルユニット保持部材を揺動させるターンテーブルユニット移動機構と、を備えたことを特徴とする。
【０００９】
また、前記ディスク搬送機構は、前記ディスクの搬送時にスライドするローディングスライダと、前記ローディングスライダに連動してスライドする従動スライダと、前記ローディングスライダまたは前記従動スライダに連動して、前記ディスクを両側から保持して揺動する複数のアームとを備えていることが好ましい。
【００１０】
さらに、前記昇降フレーム移動機構は、前記昇降フレームに取り付けられた昇降ピンと、前記従動スライダまたは前記ローディングスライダに形成され、前記昇降ピンが挿入される昇降用カム溝とを備えていることが好ましい。
【００１１】
また、前記ターンテーブルユニット移動機構は、前記ターンテーブルユニット保持部材に取り付けられた揺動ピンと、前記ローディングスライダに形成され、前記揺動ピンが挿入される揺動用カム溝とを備えていることが好ましい。
【００１２】
さらに、前記ターンテーブルユニット保持部材は、前記昇降フレームに取り付けられた複数の支持軸に移動可能に嵌合され、前記支持軸に装着したコイルバネで前記昇降フレームに向けて付勢されていることが好ましい。
【発明の効果】
【００１３】
本発明によれば、ターンテーブルユニット保持部材を昇降フレームに移動自在に取り付け、昇降フレームが記録／再生位置から下降位置へ下降するときに、ターンテーブルユニットが昇降フレームに対して傾くように、ターンテーブルユニット保持部材を揺動するから、昇降フレームにターンテーブルユニットを固定した場合に比べて、昇降フレームの記録／再生位置から下降位置までの下降量を小さくすることができる。これにより、ディスク装置を薄型化することができる。また、ディスク挿入時に、昇降フレームは記録／再生位置よりも下方の下降位置に位置するから、ディスクを容易に挿入することができる。
【発明を実施するための最良の形態】
【００１４】
図１において、ディスク装置１は、シールド状態に構成された本体ケース２を備えている。この本体ケース２の前面に、ベゼル３が取り付けられている。このベゼル３には、ディスクＤを挿入するスロット３ａと、ディスクＤのイジェクトを指示するための押しボタン４と、ディスク装置１の動作状態を表示するためのインジケータ５とが設けられている。
【００１５】
本体ケース２には、天板６が取り付けられている。この天板６のほぼ中央には、ディスクＤのチャッキング時にチャッキングヘッド１６（図２参照）が僅か入り込むための開口６ａが形成されている。また、開口６ａの周囲には、本体ケース２の内壁に突出部を形成するための凹部６ｂが設けられている。この本体ケース２の突出部は、チャッキングヘッド１６がディスクＤの中心孔Ｄａに挿入するときに、ディスクＤを受け止める。
【００１６】
天板６を取り外した図２及び図３において、本体ケース２を上下に仕切るように、ベースパネル１０が本体ケース２に固定されている。このベースパネル１０には、中央から斜め方向に延びた開口１０ａが形成されている。この開口１０ａ内には、昇降フレーム１１が配置されている。この昇降フレーム１１には、中央から斜め方向に延びた開口１１ａが形成されている。
【００１７】
前記昇降フレーム１１は、ディスクＤを本体ケース２に搬入または搬出するときに、スロット３ａ側の軸９（図４参照）を支点にして、本体ケース２のほぼ中央に位置する先端側が上下方向に揺動する。この昇降動中の衝撃を緩和するために、昇降フレーム１１は、公知の衝撃支持構造１２により複数箇所でベースパネル１０に取り付けられている。
【００１８】
昇降フレーム１１の先端部には、保持部材１７を介してターンテーブルユニット１３が設けられ、昇降フレーム１１に対してターンテーブルユニット１３が揺動可能になっている。このターンテーブルユニット１３は、スピンドルモータ１４、ターンテーブル１５、チャッキングヘッド１６を備えている。スピンドルモータ１４は、保持部材１７に固定されている。スピンドルモータ１４の駆動軸には、ターンテーブル１５が固定されている。このターンテーブル１５に、チャッキングヘッド１６が一体に形成されている。このチャッキングヘッド１６は、昇降フレーム１１が上昇したときに、チャッキング位置にセットされたディスクＤをチャッキングする。更に、チャッキングヘッド１６には、バネで付勢された複数のチャッキング爪１６ａが設けられており、ディスクＤを着脱可能に係止する。
【００１９】
また、昇降フレーム１１にはビックアップヘッド１８が移動自在に取り付けられている。このビックアップヘッド１８は、昇降フレーム１１の開口１１ａの下方に配置されたキャリッジ１９と、これに保持されたピックアップ２０とから構成されている。データの記録／再生時には、キャリッジ１９が開口１１ａに沿って、ディスクＤの半径方向に移動する。昇降フレーム１１の先端面には、昇降フレーム１１を昇降動させるための昇降ピン２９が取り付けられている。
【００２０】
昇降フレーム１１には、ディスクＤの下面をガイドするためのディスクガイド片２１が取り付けられている。このディスクガイド片２１は、ディスクＤの搬入方向に沿って、先端部がターンテーブル１５の脇まで延びている。また、ディスクガイド片２１には、先端部に向けて徐々に高くなったスロープが形成されており、ディスクＤを上に持ち上げることで、チャッキングヘッド１６に衝突することなく、本体ケース２内に搬入されるようにしている。
【００２１】
ディスクガイド片２１の先端部の下方に、チャッキング解除ピン２２が配置されている。昇降フレーム１１が下降するときに、ディスクガイド片２１がチャッキング解除ピン２２に当たって停止されるから、ディスクガイド片２１によって、ディスクＤがチャッキングヘッド１６から抜き出される。
【００２２】
ベースパネル１０上には、ディスクＤの搬入および搬出を行うためのディスク支持アーム２４と、スロット３ａから挿入されたディスクＤを本体ケース２内へ搬入するための誘引アーム２５とが揺動可能に配置されている。このディスク支持アーム２４は、ホルダー２４ａでディスクＤの先端縁を保持し、軸２３を中心にして揺動する。誘引アーム２５は、フランジ付ローラ２５ａでディスクＤの後端縁を保持し、軸２６を中心にして揺動する。この誘引アーム２５を揺動させるために、リンクレバー２７が連結されている。このリンクレバー２７は、カムピン２７ａがガイドスリット２８に沿って移動する。
【００２３】
なお、図３には、ディスクＤがイジェクト位置にある場合、自動搬入の開始位置にある場合、チャッキング位置にある場合がそれぞれ示されている。
【００２４】
図４において、ピックアップ２０を保持したキャリッジ１９は、ガイドシャフト３２、３３に支持されている。これらのガイドシャフト３２、３３は、その両端が昇降フレーム１１の背面に固定されている。スレッドモータ３４の回転は、ギヤトレイン３５を介して、スクリューシャフト３６に伝達される。このスクリューシャフト３６の回転により、キャリッジ１９が前進／後退する。
【００２５】
ベースパネル１０の背面には、ローディングモータ３８が配置され、このローディングモータ３８の回転が、ギヤトレイン３９を介してディスク搬送機構４０に伝達され、ディスクＤの搬入又は搬出が行われる。このディスク搬送機構４０の主要部は、ローディングスライダ４１、ディスク支持アーム２４、誘引アーム２５である。
【００２６】
前記ローディングスライダ４１は、端部に形成したラックギヤ４２がギヤトレイン３９の最終段のギヤに噛合しており、ローディングモータ３８の回転により、本体ケース２の側壁に沿って前進／後退する。ローディングスライダ４１がベゼル３から離れる方向に移動（前進）するときに、ディスクＤが本体ケース２内に搬入され、後退するときに本体ケース２から搬出される。
【００２７】
また、ローディングスライダ４１には、カム溝４３、４４が形成されている。このカム溝４３は、ガイドスリット２８と重なっており、これらにリンクレバー２７のカムピン２７ａが嵌合している（図５参照）。ローディングスライダ４１の前進／後退により、カム溝４３とガイドスリット２８とが共働して、リンクレバー２７を移動させる。また、カム溝４４には、リンクレバー４５のカムピン４５ａと、リンクレバー４６のカムピン４６ａとが嵌合しており、ローディングスライダ４１が前進／後退するときに、リンクレバー４５、４６は、軸４７、４８を中心にして回転する。
【００２８】
前記リンクレバー４５には、カムピン４５ｂが形成されている。このカムピン４５ｂは、従動スライダ５２の長孔５２ａに嵌合している。この従動スライダ５２は、ガイド孔５２ｂにピン５４が嵌合しており、またベースバネル１０に固定したガイド板５３が背面をガイドしている。
【００２９】
前記リンクレバー４６は、ピン５６を介してリンクアーム５７に連結されている。このリンクアーム５７は、ピン５８を介してベース部２４ｂに連結されている。このベース部２４ｂは、ベースパネル１０の表面に配置されたディスク支持アーム２４と軸２３で一体的に連結されている。ベース部２４ｂの周囲に、スイッチ５９が配置されており、ディスクＤの押し込みでディスク支持アーム２４が所定量揺動されたときにＯＮする。このスイッチ５９からの信号で、制御回路（図示せず）はローディングモータ３８を回転させ、ディスク搬送機構４０によるディスクＤの自動搬入を開始する。
【００３０】
前記リンクアーム５７は、第１アーム５７ａと、この第１アーム５７ａに対してスライド可能に連結された第２アーム５７ｂと、リンクアーム５７を最短状態に保つためのバネ５７ｃとから構成されている。この伸縮可能なリンクアーム５７により、ディスクＤがユーザーによって本体ケース２内に押し込まれている間、すなわちディスク搬送機構４０による自動搬入が開始されるまで、リンクレバー４６を作動させることなく、ディスク支持アーム２４の揺動を可能にする。
【００３１】
図５に示すように、ローディングスライダ４１は柱状をしており、ガイドプレート６２と、本体ケース２の底板２ａとの間で摺動する。このガイドプレート６２はガイドスリット２８を備え、ベースパネル１０に固定されている。ローディングスライダ４１は、前述したように、ラックギヤ４２、カム溝４３、４４が形成されている。
【００３２】
前記カム溝４４は、横溝部４４ａ、縦溝部４４ｂ、傾斜部４４ｃ、縦溝部４４ｄ、横溝部４４ｅが連続して形成されている。ディスクＤの装填前には、リンクレバー４６のカムピン４６ａが横溝部４４ａに入っており、リンクレバー４５のカムピン４５ａが縦溝部４４ｄに入っている。
【００３３】
従動スライダ５２には、昇降フレーム１１の昇降ピン２９が嵌合し、昇降フレーム１１を昇降させるための昇降用カム溝６５が形成されている。この昇降用カム溝６５は、昇降フレーム１１を下降位置に保つための低位部６５ａ、昇降フレーム１１を上昇または下降させるための傾斜部６５ｂ、昇降フレーム１１を記録／再生位置に保つための高位部６５ｃが連続して形成されている。なお、従動スライダ５２は、その前後がベースパネル１０の折り曲げ部１０ｂとガイド板５３とでガイドされている（図７参照）。
【００３４】
図６及び図７に示すように、保持部材１７は、コイルバネ７１ａ〜７１ｃ及び支持軸７２ａ〜７２ｃにより、昇降フレーム１１の先端部に揺動可能に取り付けられている。保持部材１７は、スピンドルモータ１４が取り付けられる円形をした底板部１７ａと、この底板部１７ａから上方に曲げ加工された円弧形の折り曲げ部１７ｂと、この折り曲げ部１７ｂから側方に延びる取付部１７ｃとを備える。この取付部１７ｃには、先端にネジを形成した支持軸７２ａ〜７２ｃが挿通される挿通孔７４ａ〜７４ｃが形成されている。支持軸７２ａ〜７２ｃは、コイルバネ７１ａ〜７１ｃに挿通された状態で挿通孔７４ａ〜７４ｃを介して、昇降フレーム１１のネジ孔７５ａ〜７５ｃに螺合している。保持部材１７は、図７（Ｃ）に示す記録／再生位置（平行位置）では、コイルバネ７１ａ〜７１ｃにより、昇降フレーム１１に密着するように付勢され、図７（Ａ）に示す下降位置（退避位置）では、コイルバネ７１ａ〜７１ｃに抗して昇降フレーム１１に対して傾いている。なお、コイルバネ７１ａ〜７１ｃの代わりに板バネを用いてもよい。
【００３５】
保持部材１７には、昇降フレーム１１の側面から突出するように突出部材７６が取り付けられている。この突出部材７６には、保持部材１７を揺動するための揺動ピン７７が設けられている。突出部材７６は、昇降フレーム１１の側面に形成された切欠き７８を通って昇降フレーム１１の側面から突出する。さらに、揺動ピン７７は、ローディングスライダ４１に向かって突出している。この揺動ピン７７は、支持軸７２ａと支持軸７２ｂとを結ぶ線よりもスロット３ａ側に設けられているため、揺動ピン７７がローディングスライダ４１に形成された揺動用カム溝６３（図５参照）に沿って揺動すると、保持部材１７は支持軸７２ｃに沿って下降し、保持部材１７が、図７（Ａ）に示すように、挿通孔７４ａ，７４ｂを結ぶ線を支点にして、昇降フレーム１１に対して傾く。
【００３６】
図５に示すように、ローディングスライダ４１には、保持部材１７の揺動ピン７７が嵌合する揺動用カム溝６３が形成されている。この揺動用カム溝６３は、昇降フレーム１１の昇降時に昇降フレーム１１と一緒に保持部材１７を昇降させるとともに、昇降フレーム１１が記録／再生位置及び下降位置に位置するときに、ターンテーブルユニット１３がディスク搬送方向に平行となるように保持部材１７を揺動させる。この揺動用カム溝６３は、保持部材１７を下降位置に保つための低位部６３ａ、保持部材１７を昇降及び揺動させるための傾斜部６３ｂ、保持部材１７を記録／再生位置に保つための高位部６３ｃが連続して形成されている。
【００３７】
次に、図７及び図８を参照して上記実施形態の作用について説明する。ディスクＤの挿入前には、図７（Ａ）に示すように、昇降フレーム１１が下降位置にセットされている。このときには、昇降フレーム１１の昇降ピン２９は、従動スライダ５２の昇降用カム溝６５の低位部６５ａに位置し、そして保持部材１７の揺動ピン７７は、ローディングスライダ４１の揺動用カム溝６３の低位部６３ａに位置している。揺動ピン７７が低位部６３ａに位置しているときには、図８に示すように、保持部材１７はコイルバネ７１ａ〜７１ｃに抗して、挿通孔７４ａ，７４ｂを結ぶ線を支点にして、昇降フレーム１１に対してスロット３ａ側が下降しているから、ターンテーブルユニット１３は、ディスク搬送方向に平行となっている。これにより、ディスク装置１の小型化のために、昇降フレーム１１の下降位置と記録／再生位置との距離を短くした場合でも、ディスクＤがチャッキングヘッド１６に当たらないようにしている。
【００３８】
図３及び図４に示すように、ディスクＤがベゼル３のスロット３ａから本体ケース２内に挿入されると、ディスクＤの先端縁がディスク支持アーム２４のホルダー２４ａに支持される。このディスクＤの押込みに応じて、リンクアーム５７を伸長しながら、ディスク支持アーム２４がベース部２４ｂとともに、軸２６を中心にして図３において反時計方向に回転する。この際に、ディスクＤの先端縁は、下向きにならにようにディスクガイド片２１にガイドされる。
【００３９】
ディスク支持アーム２４のホルダー２４ａが昇降フレーム１１を通過する位置までディスクＤが押し込まれると、ベース部２４ｂがスイッチ５９をＯＮにする。このスイッチ５９の信号に基づいてローディングモータ３８が回転するから、ディスク搬送機構４０が作動してディスクＤの自動搬入が開始される。
【００４０】
前記ローディングモータ３８の回転は、ギヤトレイン３９を介してローディングスライダ４１に伝達される。ローディングスライダ４１は、ベゼル３から離れる方向（前進方向）に移動する。ローディングスライダ４１が前進すると、カム溝４３によってリンクレバー２７のカムピン２７ａが押されるため、このカムピン２７ａが固定のガイドスリット２８に沿って移動する。これにより、リンクレバー２７が移動するため、誘引アーム２５が軸２６を支点にして図３において時計方向に揺動する。この誘引アーム２５は、その先端に取り付けたフランジ付ローラ２５ａがディスクＤの後端縁を押す。
【００４１】
また、ローディングスライダ４１は、カム溝４４の横溝部４４ａによってリンクレバー４６を図４において時計方向に回転する。このリンクレバー４６の回転は、リンクアーム５７を介してベース部２４ｂに伝達され、ディスク支持アーム２４を図３において反時計方向に回転させる。これにより、ディスクＤは、ディスク支持アーム２４と誘引アーム２５とで保持されて、本体ケース２内に搬入される。
【００４２】
図３に示すように、ディスクＤがチャッキング位置に搬入されると、ディスクＤの中心孔Ｄａがチャッキングヘッド１６と一致する。このチャッキング位置に到達すると、リンクレバー２７のカムピン２７ａが、カム溝４３及びガイドスリット２８の縦溝部に位置しているため、ローディングスライダ４１が前進しても、誘引アーム２５は停止している。同様に、リンクレバー４６のカムピン４６ａも縦溝部４４ｂに位置しているため、ディスク支持アーム２４も停止している。
【００４３】
他方、リンクレバー４５のカムピン４５ａは横溝部４４ｅに位置しているため、ローディングスライダ４１が前進すると、カムピン４５ｂと長孔５２ａとにより、従動スライダ５２が図４において左方向に向かって摺動を開始する。この従動スライダ５２は、ベースパネル１０の折り曲げ部１０ｂとガイド板５３とで前後がガイドされ、底板２ａ上を摺動する。
【００４４】
上記のように、ディスクＤがチャッキング位置に到達した時点では、昇降フレーム１１の昇降ピン２９が従動スライダ５２の昇降用カム溝６５の傾斜部６５ｂに、そして保持部材１７の揺動ピン７７がローディングスライダ４１の揺動用カム溝６３の傾斜部６３ｂにそれぞれ到達する。その後は、ディスク支持アーム２４と誘引アーム２５とが停止した状態で、ローディングスライダ４１に連動して従動スライダ５２の摺動が開始する。これにより、昇降ピン２９が傾斜部６５ｂに沿って移動し、また揺動ピン７７が傾斜部６３ｂに沿って移動するから、昇降フレーム１１及び保持部材１７が下降位置から装着位置に向かって上昇を開始する。
【００４５】
昇降フレーム１１及び保持部材１７が記録／再生位置に上昇すると、チャッキングヘッド１６がディスクＤの中心孔Ｄａに入り込み、チャッキング爪１６ａに引っ掛かった状態となる。また、保持部材１７は、揺動用カム溝６３によって揺動され、図８に示すようにターンテーブルユニット１３が昇降フレーム１１とほぼ平行になっている。
【００４６】
昇降フレーム１１及び保持部材１７が更に上昇すると、ディスクＤが天板６の凹部６ｂによって形成された凸部で受け止められる。この状態で昇降フレーム１１及び保持部材１７が少し上昇すると、図７（Ｂ）に示すように、ディスクＤの中心孔Ｄａにチャッキングヘッド１６が嵌まり、チャッキング爪１６ａで係止される。このチャッキングが完了した時点では、昇降ピン２９が昇降用カム溝６５の最上部に位置し、揺動ピン７７が揺動用カム溝６３の最上部に位置しており、昇降フレーム１１及び保持部材１７は装着位置にある。保持部材１７は、記録／再生位置と装着位置との間では、昇降フレーム１１に密着してほぼ平行を保ったまま、昇降フレーム１１ととともに揺動する。
【００４７】
チャッキングの完了後に、ローディングスライダ４１と従動スライダ５２とが移動すると、昇降ピン２９が昇降用カム溝６５の最上部から傾斜部を経て水平な高位部６５ｃに入り、揺動ピン７７も揺動用カム溝６３の最上部から傾斜部を経て水平な高位部６３ｃに入る。これにより、図７（Ｃ）に示すように、昇降フレーム１１及び保持部材１７が装着位置から僅か下がった記録／再生位置に位置決めされる。この記録／再生位置のときには、昇降フレーム１１は、ディスク搬送方向に平行となっている。また、保持部材１７はコイルバネ７１ａ〜７１ｃの付勢により、昇降フレーム１１に密着した状態となり、ターンテーブルユニット１３は、ディスク搬送方向に平行となっている。
【００４８】
昇降フレーム１１及び保持部材１７が装着位置から記録／再生位置に移動する間に、カムピン２７ａがカム溝４３で押されて、ガイドスリット２８の横溝部２８ａ内を移動する。これにより、誘引アーム２５は、図３において、軸２６を中心にして反時計方向に少し回転するから、フランジ付ローラ２５ａがディスクＤの後端縁から離れる。また、リンクレバー４６のカムピン４６ａは、カム溝４４の傾斜部４４ｃで押されるから、リンクレバー４６が図４において時計方向に少し回転する。これにより、ディスク支持アーム２４は、図３において、反時計方向に少し回転し、ホルダー２４ａがディスクＤの先端縁から離れる。
【００４９】
昇降フレーム１１及び保持部材１７が記録／再生位置にセットされた後に、ローディングモータ３８が停止する。その後、スピンドルモータ１４が回転して、ディスクＤを高速回転する。この状態で、スレッドモータ３４が回転してキャリッジ１９をガイドシャフト３２、３３に沿って移動する。キャリッジ１９上のピックアップ２０は、ディスクＤの半径方向に移動して、ディスクＤの記録／再生を行なう。
【００５０】
ディスクの記録／再生を終了する場合には押しボタン４を押す。この押しボタン４が押されると、スピンドルモータ１４が停止し、またスレッドモータ３４が逆転して、キャリッジ１９を初期位置に復帰させる。次に、ローディングモータ３８が逆転を開始する。このローディングモータ３８により、ディスク搬送機構４０が作動し、前述したディスクＤの搬入と逆の動作が行われる。
【００５１】
まず、ローディングスライダ４１がベゼル３に向かって後退を開始し、同時に従動スライダ５２を図４において右方向に摺動させる。このローディングスライダ４１の後退により、ディスク支持アーム２４と誘引アーム２５とが少し揺動して、ディスクＤの周縁を保持する。次に、ローディングスライダ４１と従動スライダ５２とにより、昇降フレーム１１及び保持部材１７が図７（Ｂ）に示す装着位置にいったん移動した後、図７（Ｃ）に示す記録／再生位置を通過して、図７（Ａ）に示す下降位置に向かう。
【００５２】
昇降フレーム１１及び保持部材１７の下降中に、ディスクガイド片２１がチャッキング解除ピン２２に受け止められる。この状態で昇降フレーム１１及び保持部材１７が下降すると、ディスクガイド片２１がディスクＤの下面を受け止めてその下降を阻止する。ディスクＤが停止した状態で、昇降フレーム１１とともにチャッキングヘッド１６が下降すると、チャッキング爪１６ａを押し込みながら、ディスクＤがチャッキングヘッド１６から抜け出る。
【００５３】
昇降フレーム１１及び保持部材１７が下降位置に到達すると、従動スライダ５２の摺動が停止し、ローディングスライダ４１だけが後退する。このローディングスライダ４１は、ディスク支持アーム２４と誘引アーム２５とを揺動させ、ディスクＤを保持しながら図４に示すイジェクト位置に搬出する。ディスクＤが搬出されると、スイッチ５９がＯＦＦしてローディングモータ３８が停止するため、ディスク搬送機構４０の搬出動作が終了する。
【００５４】
昇降フレーム１１及び保持部材１７が下降位置にあるときには、ターンテーブルユニット１３は、昇降フレーム１１に対して傾いてディスク搬送方向に平行となっている。昇降フレーム１１にターンテーブルユニット１３を固定した場合に比べて、ディスクＤを搬送可能とするために必要な昇降フレーム１１の下降量（記録／再生位置から下降位置までの下降量）を小さくすることができる。これにより、ディスク装置１を薄型化することができる。
【００５５】
なお、従動スライダを省略し、ローディングスライダ４１により、昇降フレーム１１の昇降と、保持部材１７の昇降及び揺動とを行ってもよい。
【００５６】
また、本発明は、８ｃｍと１２ｃｍの２種類のディスクが装填可能なディスク装置に対しても適用することができる。
【図面の簡単な説明】
【００５７】
【図１】本発明のディスク装置とディスクとを示す斜視図である。
【図２】天板を取り外したディスク装置の斜視図である。
【図３】天板を取り外したディスク装置の平面図である。
【図４】底板を省略したディスク装置の底面図である。
【図５】ローディングスライダと、これに連動する従動スライダ及びリンクレバーを示す斜視図である。
【図６】昇降フレームとターンテーブルユニット保持部材とを示す分解斜視図である。
【図７】ディスクのチャッキングの動作を示す断面図である。
【図８】昇降フレームとターンテーブルユニットの動作を示す説明図である。
【符号の説明】
【００５８】
１  ディスク装置
１１  昇降フレーム
１３  ターンテーブルユニット
１４  スピンドルモータ
１５  ターンテーブル
１７  保持部材
２９  昇降ピン
４０  ディスク搬送機構
４１  ローディングスライダ
５２  従動スライダ
６３  揺動用カム溝
６５  昇降用カム溝
７７  揺動ピン
【図１】
2010129132.tif 000003
【図２】
2010129132.tif 000004
【図３】
2010129132.tif 000005
【図４】
2010129132.tif 000006
【図５】
2010129132.tif 000007
【図６】
2010129132.tif 000008
【図７】
2010129132.tif 000009
【図８】
2010129132.tif 000010